(57)【要約】【課題】天井面からの雨水等の侵入を防止し、かつ取付作業性が高い、遮光板付の電子電気機器収納用箱を提供すること。【解決手段】箱本体１の側面に、側面遮光板４を防水用ゴムワッシャを介してボルトによって固定し、前記ボルトによって、天井面遮光板３の端部を略垂直下方向に折り曲げて形成した天井面遮光板取付辺３ｄを固定することにより、箱本体１の上面に天井面遮光板３を取付けた。なお、側面遮光板４は、外側に側面遮光部４ａを備え、内側に側面遮光板取付辺４ｄを備えたものであって、天井面遮光板取付辺３ｄを、側面遮光板取付辺４ｄに対して外側となる位置に取付けることが望ましい。【選択図】図２
2014203939.tif 000002
【特許請求の範囲】
【請求項１】
箱本体と、該箱本体の外面に取付けられた遮光板とからなる遮光板付の電子電気機器収納用箱であって、
該箱本体の側面に、側面遮光板をボルトによって固定し、
前記ボルトによって、天井面遮光板の端部を略垂直下方向に折り曲げて形成した天井面遮光板取付辺を固定することにより、該箱本体の上面に該天井面遮光板を取付けたことを特徴とする遮光板付の電子電気機器収納用箱。
【請求項２】
前記側面遮光板は、外側に側面遮光部を備え、内側に側面遮光板取付辺を備えたものであって、前記天井面遮光板取付辺を、該側面遮光板取付辺に対して外側となる位置に取付けたことを特徴とする請求項１記載の遮光板付の電子電気機器収納用箱。
【発明の詳細な説明】
【技術分野】
【０００１】
本発明は、遮光板を備えた電子電気機器収納用箱に関するものである。
【背景技術】
【０００２】
従来から、直射日光等による電子電気機器収納用箱の内部の温度上昇を抑制するために、屋外用の電子電気機器収納用箱の外面には遮光板が取り付けられている。
【０００３】
遮光板の取付構造として、特許文献１に示されるように、電子電気機器収納用箱の各面（正面、背面、天井面、および側面）を保護する構造がある。しかしながら、特許文献１では電子電気機器収納用箱の各面に形成した取付孔を介して、各面を保護する遮光板をボルトとナットとにより締結している。そのため、電子電気機器収納用箱の各面に取付孔を形成するための穴あけ加工や、各面に遮光板を締結する取付作業が煩雑である点が問題であった。
【０００４】
さらに、天井面の遮光板を取付けるためには、電子電気機器収納用箱の天井面に取付孔を形成する必要があるため、この取付孔を介して雨水等が侵入し、内部機器を損傷させる恐れがあった。
【先行技術文献】
【特許文献】
【０００５】
【特許文献１】特開２０００−２２８５９７号公報
【発明の概要】
【発明が解決しようとする課題】
【０００６】
本発明の目的は前記した従来の問題点を解決し、天井面からの雨水等の侵入を防止し、かつ取付作業性が高い、遮光板付の電子電気機器収納用箱を提供することである。
【課題を解決するための手段】
【０００７】
上記課題を解決するためになされた本発明は、箱本体と、該箱本体の外面に取付けられた遮光板とからなる遮光板付の電子電気機器収納用箱であって、該箱本体の側面に、側面遮光板をボルトによって固定し、前記ボルトによって、天井面遮光板の端部を略垂直下方向に折り曲げて形成した天井面遮光板取付辺を固定することにより、該箱本体の上面に該天井面遮光板を取付けたことを特徴とするものである。
【０００８】
請求項２記載の発明は、請求項１記載の遮光板付の電子電気機器収納用箱において、前記側面遮光板は、外側に側面遮光部を備え、内側に側面遮光板取付辺を備えたものであって、前記天井面遮光板取付辺を、該側面遮光板取付辺に対して外側となる位置に取付けたことを特徴とするものである。
【発明の効果】
【０００９】
本発明に係る遮光板付の電子電気機器収納用箱は、箱本体側面に、側面遮光板をボルトによって固定し、前記ボルトによって、天井面遮光板の端部を略垂直下方向に折り曲げて形成した天井面遮光板取付辺を固定することにより、箱本体上面に天井面遮光板を取付けたものである。これにより、箱本体の取付孔数および遮光板の締結具数が減少し、遮光板の取付作業性が向上する。さらに、箱本体の天井面に取付孔を形成する必要がなくなり、雨水等の侵入による内部機器の損傷を防止することが可能となる。
【００１０】
また請求項２記載の発明によれば、天井面遮光板取付辺を、側面遮光板取付辺に対して外側となる位置に取付けたことにより、天井面遮光板取付辺の板厚による、側面遮光板の傾きを抑制することが可能となる。また、天井面遮光板から滴下する雨水等が、側面遮光板取付辺の上部に溜まることを防止できるため、側面遮光板の防錆性能を高めることが可能となる。
【図面の簡単な説明】
【００１１】
【図１】本発明の実施形態を示す斜視図である。
【図２】本発明の実施形態を示す分解図である。
【図３】図１の断面図の上部拡大図である。
【図４】図１の断面図の上部拡大図において、ボルト締結前を示す断面図である。
【図５】図１の断面図である。
【発明を実施するための形態】
【００１２】
以下に本発明の好ましい実施形態を示す。
図１、図２に示すように、本実施形態の電子電気機器収納用箱は、箱本体１と、箱本体１の正面に取付けられた扉２と、箱本体１の外面に取付けられた遮光板とから構成される。なお遮光板は、天井面に取付けられる天井面遮光板３と、側面に取付けられる側面遮光板４と、正面の扉２に固定される正面遮光板５とからなる。
【００１３】
天井面遮光板３は、上面の天井面遮光部３ａと、その長手側の端部を略垂直下方向に折り曲げて形成した天井面遮光板補強辺３ｂと、短手側の端部を略垂直下方向に折り曲げて形成した天井面遮光板取付辺３ｄとからなる。なお、天井面遮光板取付辺３ｄの外側には、左右対称の位置にナット３ｃが溶接されている。また、側面遮光板４は、外面の側面遮光部４ａと、その長手側の端部をコ字状に折り曲げて形成した側面遮光板側辺４ｂと側面遮光板取付辺４ｄとから構成される。なお、側面遮光板４は上下方向に開口した形状であり、側面遮光板取付辺４ｄの外側の下部にのみナット４ｃを溶接した構造を備える。
【００１４】
本実施形態において、図３に示すように、電子電気機器収納用箱の内側から、箱本体１、側面遮光板４の上部に形成された側面遮光板取付辺４ｄ、ナット３ｃが溶接された天井面遮光板取付辺３ｄの順に配置し、防水用ゴムワッシャ６を介してボルト７によって締結される。このとき、図４のようにボルト７は、電子電気機器収納用箱の内側から、箱本体側面取付孔１ａ、側面遮光板取付孔４ｅ、天井面遮光板取付孔３ｅの順に貫通し、天井面遮光板取付辺３ｄの外側に溶接されたナット３ｃによって締結される。したがって、１つのボルト７を用いて天井面遮光板３と側面遮光板４とを共締めによって締結していることから、箱本体１の天井面には取付孔を形成する必要がなく、雨水等の侵入による内部機器の損傷を防止することができる。また、箱本体１の取付孔数および遮光板の締結具数も従来と比較して減少することから、取付作業性を向上させることが可能となる。
【００１５】
また、図５に示すように、側面遮光板４の下部は、防水用ゴムワッシャ６を介してボルト７により箱本体側面取付孔１ａ、側面遮光板取付孔４ｅの順に貫通し、側面遮光板４の下部の側面遮光板取付辺４ｄの外側に溶接されたナット４ｃによって締結される。このとき、天井面遮光板取付辺３ｄの取付位置を、側面遮光板取付辺４ｄの取付位置に対して外側としたことにより、天井面遮光板取付辺３ｄの板厚による側面遮光板４の傾きを抑制することが可能となる。また、天井面遮光板３から滴下する雨水等が、側面遮光板取付辺４ｄの上部に溜まることを防止できるため、側面遮光板４の防錆性能を高めることが可能となる。
【００１６】
なお、本実施形態においては、ボルト７は電子電気機器収納用箱の内側から外側に向けて締結されているため、側面遮光板４の側面遮光部４ａにボルト７のネジ頭が突出しないため、いたずら等の防止効果がある。さらに、側面遮光板４は上下方向に開口した形状を備えていることから、煙突効果により箱本体１内部の温められた空気を外部に放出する放熱効果を有する。
【００１７】
また、正面遮光板５については、図示していないナットが四隅に溶接されており、扉２に形成された図示しない取付孔を介して、電子電気機器収納用箱の内側から防水用ゴムワッシャ６を介してボルト７によって締結されるものとする。なお、本実施形態においては背面遮光板を形成していないが、自立式の電子電気機器収納用箱の場合は背面にも遮光板を形成することができる。
【符号の説明】
【００１８】
１    箱本体
１ａ  箱本体側面取付孔
２    扉
３    天井面遮光板
３ａ  天井面遮光部
３ｂ  天井面遮光板補強辺
３ｃ  ナット
３ｄ  天井面遮光板取付辺
３ｅ  天井面遮光板取付孔
４    側面遮光板
４ａ  側面遮光部
４ｂ  側面遮光板側辺
４ｃ  ナット
４ｄ  側面遮光板取付辺
４ｅ  側面遮光板取付孔
５    正面遮光板
６    防水用ゴムワッシャ
７    ボルト
【図１】
2014203939.tif 000003
【図２】
2014203939.tif 000004
【図３】
2014203939.tif 000005
【図４】
2014203939.tif 000006
【図５】
2014203939.tif 000007